【手続補正書】
【提出日】平成24年9月28日(2012.9.28)
【手続補正１】
【補正対象書類名】特許請求の範囲
【補正対象項目名】全文
【補正方法】変更
【補正の内容】
【特許請求の範囲】
【請求項１】
クライアント端末と、当該クライアント端末に配布するモジュールと当該モジュールのライセンス情報を記憶管理する情報処理装置と、がネットワークを介して接続可能な情報処理システムにおける当該情報処理装置であって、
前記情報処理装置から、前記クライアント端末に配布した前記モジュールの数と当該モジュールの送信先であるクライアント端末の識別情報と、を記憶する第一の記憶手段と、
前記情報処理装置から配布された前記モジュール、又は、当該情報処理装置以外から配布された当該モジュールを所持する前記クライアント端末が、前記情報処理システムにおいて当該モジュールを利用可能な当該クライアント端末であることを通知する利用者通知を当該クライアント端末から受信する利用者通知受信手段と、
前記利用者通知受信手段で受信した利用者通知を用いることにより、前記情報処理システムを利用する前記クライアント端末の識別情報を記憶する第二の記憶手段と、
を備えることを特徴とする情報処理装置。
【請求項２】
前記クライアント端末より前記モジュールのアンインストール指示を受け付ける指示受付手段と、
前記指示受付手段で前記クライアント端末より前記モジュールのアンインストール指示を受け付けたときに、前記第二の記憶手段で記憶した前記クライアント端末の識別情報と、前記第一の記憶手段で記憶した前記クライアント端末の識別情報とを用いることにより、前記クライアント端末が前記情報処理装置より前記モジュールを取得したか否かを判定する判定手段と、
前記判定手段で前記クライアント端末が前記情報処理装置より前記モジュールを取得したと判定された場合に、前記クライアント端末より前記モジュールのアンインストールの実行が可能である旨を通知する第一の通知手段と
を更に備えることを特徴とする請求項１に記載の情報処理装置。
【請求項３】
前記判定手段で前記クライアント端末が前記情報処理装置より前記モジュールを取得していないと判定された場合に、前記クライアント端末より前記モジュールのアンインストールの実行ができない旨を通知する第二の通知手段を備えることを特徴とする請求項２に記載の情報処理装置。
【請求項４】
複数の前記情報処理装置の通信により、前記第一の記憶手段で記憶した前記クライアント端末に提供したモジュール数および該モジュールの送信先であるクライアント端末の識別情報を同期する同期手段
を更に備えることを特徴とする請求項１乃至３のいずれか１項に記載の情報処理装置。
【請求項５】
前記第一の記憶手段に記憶されている前記クライアント端末の識別情報と、前記第二の記憶手段に記憶されている当該クライアント端末の識別情報と、を突き合わせることにより、当該第一の記憶手段に記憶された当該クライアント端末であり、且つ、当該第二の記憶手段に記憶された当該クライアント端末でもある、当該クライアント端末の数を算定する算定手段と
を更に備えることを特徴とする請求項１乃至４のいずれか１項に記載の情報処理装置。
【請求項６】
クライアント端末と、当該クライアント端末に配布するモジュールと当該モジュールのライセンス情報を記憶管理する情報処理装置と、がネットワークを介して接続可能な情報処理システムにおける当該情報処理装置の制御方法であって、
第一の登録手段が、前記情報処理装置から、前記クライアント端末に配布した前記モジュールの数と当該モジュールの送信先であるクライアント端末の識別情報と、を、第一の記憶手段に記憶させる第一の登録ステップと、
利用者通知受信手段が、前記情報処理装置から配布された前記モジュール、又は、当該情報処理装置以外から配布された当該モジュールを所持する前記クライアント端末が、前記情報処理システムにおいて当該モジュールを利用可能な当該クライアント端末であることを通知する利用者通知を当該クライアント端末から受信する利用者通知受信ステップと、
第二の登録手段が、前記利用者通知受信手段で受信した利用者通知を用いることにより、前記情報処理システムを利用する前記クライアント端末の識別情報を、第二の記憶手段に記憶させる第二の登録ステップと、
を備えることを特徴とする情報処理装置の制御方法。
【請求項７】
コンピュータを、クライアント端末と、当該クライアント端末に配布するモジュールと当該モジュールのライセンス情報を記憶管理する情報処理装置と、がネットワークを介して接続可能な情報処理システムにおける当該情報処理装置として機能させるプログラムであって、
前記コンピュータを、
前記情報処理装置から、前記クライアント端末に配布した前記モジュールの数と当該モジュールの送信先であるクライアント端末の識別情報と、を第一の記憶手段に記憶させる記憶する第一の登録手段、
前記情報処理装置から配布された前記モジュール、又は、当該情報処理装置以外から配布された当該モジュールを所持する前記クライアント端末が、前記情報処理システムにおいて当該モジュールを利用可能な当該クライアント端末であることを通知する利用者通知を当該クライアント端末から受信する利用者通知受信手段、
前記利用者通知受信手段で受信した利用者通知を用いることにより、前記情報処理システムを利用する前記クライアント端末の識別情報を、第二の記憶手段に記憶させる第二の登録手段、
を備えることを特徴とする情報処理装置として機能させることを特徴とするプログラム。
【手続補正２】
【補正対象書類名】明細書
【補正対象項目名】００１２
【補正方法】変更
【補正の内容】
【００１２】
即ち、本発明は、クライアント端末と、当該クライアント端末に配布するモジュールと当該モジュールのライセンス情報を記憶管理する情報処理装置と、がネットワークを介して接続可能な情報処理システムにおける当該情報処理装置であって、前記情報処理装置から、前記クライアント端末に配布した前記モジュールの数と当該モジュールの送信先であるクライアント端末の識別情報と、を記憶する第一の記憶手段と、前記情報処理装置から配布された前記モジュール、又は、当該情報処理装置以外から配布された当該モジュールを所持する前記クライアント端末が、前記情報処理システムにおいて当該モジュールを利用可能な当該クライアント端末であることを通知する利用者通知を当該クライアント端末から受信する利用者通知受信手段と、前記利用者通知受信手段で受信した利用者通知を用いることにより、前記情報処理システムを利用する前記クライアント端末の識別情報を記憶する第二の記憶手段と、を備えることを特徴とする。
更に、本発明の情報処理装置は、前記クライアント端末より前記モジュールのアンイン
ストール指示を受け付ける指示受付手段と、前記指示受付手段で前記クライアント端末よ
り前記モジュールのアンインストール指示を受け付けたときに、前記第二の記憶手段で記
憶した前記クライアント端末の識別情報と、前記第一の記憶手段で記憶した前記クライア
ント端末の識別情報とを用いることにより、前記クライアント端末が前記情報処理装置よ
り前記モジュールを取得したか否かを判定する判定手段と、前記判定手段で前記クライア
ント端末が前記情報処理装置より前記モジュールを取得したと判定された場合に、前記ク
ライアント端末より前記モジュールのアンインストールの実行が可能である旨を通知する
通知手段とを備えることを特徴とする。
【手続補正３】
【補正対象書類名】明細書
【補正対象項目名】００６０
【補正方法】変更
【補正の内容】
【００６０】
具体的に、本発明は、クライアント端末と、当該クライアント端末に配布するモジュールと当該モジュールのライセンス情報を記憶管理する情報処理装置と、がネットワークを介して接続可能な情報処理システムにおける当該情報処理装置であって、前記情報処理装置から、前記クライアント端末に配布した前記モジュールの数と当該モジュールの送信先であるクライアント端末の識別情報と、を記憶する第一の記憶手段と、前記情報処理装置から配布された前記モジュール、又は、当該情報処理装置以外から配布された当該モジュールを所持する前記クライアント端末が、前記情報処理システムにおいて当該モジュールを利用可能な当該クライアント端末であることを通知する利用者通知を当該クライアント端末から受信する利用者通知受信手段と、前記利用者通知受信手段で受信した利用者通知を用いることにより、前記情報処理システムを利用する前記クライアント端末の識別情報を記憶する第二の記憶手段と、を備えることを特徴とする情報処理装置。
なお、本実施の形態では、ウェブ会議システムを代表例とするクライアント―サーバ型の情報処理システムにおける、モジュールのライセンス管理方法について説明をしたが、本発明は、ウェブ会議システムにのみ適用されるものではなく、クライアント―サーバ型の情報処理システムであって、サーバからクライアント端末で使用するためのモジュールを発行する構成をとっている情報処理システムであれば、適用可能であることは言うまでもない。